【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
タッチスクリーンディスプレイを有する装置でのコンピュータ実施方法において、
前記タッチスクリーンディスプレイ上またはその付近におけるオブジェクトの移動を検出するステップと、
前記移動の検出に応じて、前記タッチスクリーンディスプレイ上に表示された電子ドキュメントを第１方向に並進移動するステップと、
前記タッチスクリーンディスプレイ上またはその付近において前記オブジェクトがまだ検出されている間に前記電子ドキュメントを前記第１方向に並進移動する間に前に表示されていなかった前記電子ドキュメントの縁に到達するのに応じて、前記ドキュメントの縁を越えるエリアを表示するステップと、
前記タッチスクリーンディスプレイ上又はその付近にオブジェクトがもはやないことを検出するのに応じて、前記ドキュメントの縁を越えるエリアがもはや表示されなくなるまで前記ドキュメントを第２方向に並進移動するステップと、
を有するコンピュータ実施方法。
【請求項２】
前記装置は、ポータブルマルチファンクション装置である、請求項１に記載のコンピュータ実施方法。
【請求項３】
前記オブジェクトの移動は、前記タッチスクリーンディスプレイ上で生じる、請求項１または２に記載のコンピュータ実施方法。
【請求項４】
前記オブジェクトは、指である、請求項１乃至３のいずれか１項に記載のコンピュータ実施方法。
【請求項５】
前記第１方向は、垂直方向、水平方向、または、対角方向である、請求項１乃至４のいずれか１項に記載のコンピュータ実施方法。
【請求項６】
前記電子ドキュメントは、ウェブページである、請求項１乃至５のいずれか１項に記載のコンピュータ実施方法。
【請求項７】
前記電子ドキュメントは、デジタル画像である、請求項１乃至５のいずれか１項に記載のコンピュータ実施方法。
【請求項８】
前記電子ドキュメントは、ワードプロセッサドキュメント、スプレッドシート、電子メール又はプレゼンテーションドキュメントである、請求項１乃至５のいずれか１項に記載のコンピュータ実施方法。
【請求項９】
前記電子ドキュメントは、アイテムのリストを含む、請求項１乃至５のいずれか１項に記載のコンピュータ実施方法。
【請求項１０】
前記第２方向は、前記第１方向と逆である、請求項１乃至９のいずれか１項に記載のコンピュータ実施方法。
【請求項１１】
前記ドキュメントの縁に到達するまで前記第１方向に並進移動することは、前記オブジェクトの移動スピードに対応する関連並進移動スピードを有する、請求項１乃至１０のいずれか１項に記載のコンピュータ実施方法。
【請求項１２】
前記第１方向に並進移動することは、摩擦を有する運動の方程式のシミュレーションに基づく、請求項１乃至１０のいずれか１項に記載のコンピュータ実施方法。
【請求項１３】
前記ドキュメントの縁を越えるエリアは、ブラック、グレー、ソリッドカラー又はホワイトである、請求項１乃至１２のいずれか１項に記載のコンピュータ実施方法。
【請求項１４】
前記ドキュメントの縁を越えるエリアは、前記ドキュメントとは視覚的に識別可能な、請求項１乃至１２のいずれか１項に記載のコンピュータ実施方法。
【請求項１５】
前記第２方向にドキュメントを並進移動することは、減衰運動である、請求項１乃至１４のいずれか１項に記載のコンピュータ実施方法。
【請求項１６】
前記第１方向に並進移動することから、前記ドキュメントの縁を越えるエリアがもはや表示されなくなるまで第２方向に並進移動することへの切り換えは、前記電子ドキュメントの縁が、前記タッチスクリーンディスプレイの縁又は前記タッチスクリーンディスプレイに表示される縁に弾性的に取り付けられているような表示により行う、請求項１乃至１５のいずれか１項に記載のコンピュータ実施方法。
【請求項１７】
前記電子ドキュメントが前記電子ドキュメントの縁に到達するまで前記第１方向に並進移動する場合、前記電子ドキュメントは、前記電子ドキュメントの縁に到達するまでの前記オブジェクトの移動距離に対応する第１の関連並進移動距離を移動し、
更に、前記電子ドキュメントの縁を越えるエリアを表示することは、前記電子ドキュメントを前記第１方向に第２の関連並進移動距離について並進移動することを含み、
当該第２の関連並進移動距離は、前記電子ドキュメントの縁に到達した後の前記オブジェクトの移動距離に対応する関連並進移動距離より短い、請求項１乃至１６のいずれか１項に記載のコンピュータ実施方法。
【請求項１８】
前記電子ドキュメントの縁に到達するまで前記第１方向に並進移動することは、前記オブジェクトの移動スピードに対応する第１の関連並進移動スピードを有し、
更に、前記電子ドキュメントの縁を越えるエリアを表示することは、前記電子ドキュメントを前記第１方向に第２の関連並進移動スピードで並進移動することを含み、
当該第２の関連並進移動スピードは、前記第１の関連並進移動スピードより低速である、請求項１乃至１７のいずれか１項に記載のコンピュータ実施方法。
【請求項１９】
タッチスクリーンディスプレイと、
１つ以上のプロセッサと、
メモリと、
１つ以上のプログラムと、
を備え、
前記１つ以上のプログラムは、前記メモリに記憶されて、前記１つ以上のプロセッサにより実行されるように構成され、
前記プログラムは、
前記タッチスクリーンディスプレイ上又はその付近におけるオブジェクトの移動を検出するためのインストラクションと、
前記移動の検出に応じて、前記タッチスクリーンディスプレイ上に表示された電子ドキュメントを第１方向に並進移動するためのインストラクションと、
前記タッチスクリーンディスプレイ上又はその付近において前記オブジェクトがまだ検出されている間に前記電子ドキュメントを第１方向に並進移動する間に前に表示されていなかった前記電子ドキュメントの縁に到達するのに応じて、前記電子ドキュメントの縁を越えるエリアを表示するためのインストラクションと、
前記タッチスクリーンディスプレイ上又はその付近にオブジェクトがもはやないことを検出するのに応じて、前記電子ドキュメントの縁を越えるエリアがもはや表示されなくなるまで、前記ドキュメントを第２方向に並進移動するためのインストラクションと、
を含む、装置。
【請求項２０】
タッチスクリーンディスプレイを有する装置で実行された場合に、前記装置に、
前記タッチスクリーンディスプレイ上又はその付近におけるオブジェクトの移動を検出し、
前記移動の検出に応じて、前記タッチスクリーンディスプレイ上に表示された電子ドキュメントを第１方向に並進移動し、
前記タッチスクリーンディスプレイ上又はその付近において前記オブジェクトがまだ検出されている間に前記電子ドキュメントを第１方向に並進移動する間に前に表示されていなかった前記電子ドキュメントの縁に到達した場合には、前記電子ドキュメントの前記縁を越えるエリアを表示し、
前記タッチスクリーンディスプレイ上又はその付近でオブジェクトがもはや検出されなくなった後に、前記ドキュメントの縁を越えるエリアがもはや表示されなくなるまで前記ドキュメントを第２方向に並進移動する、
動作を実行させるためのインストラクションを記憶しているコンピュータ読み取り可能な記憶媒体。
【請求項２１】
タッチスクリーンディスプレイを有する電子装置でのコンピュータ実施方法において、
ドキュメントの第１部分を表示するステップと、
前記タッチスクリーンディスプレイ上におけるオブジェクトの移動を検出するステップと、
前記移動の検出に応じて、前記ドキュメントの第２部分を表示するために前記ドキュメントを第１方向に並進移動するステップと、
前記タッチスクリーンディスプレイ上において前記オブジェクトの移動が検出され続けている間に前に表示されていなかった前記ドキュメントの縁に到達するのに応じて、前記ドキュメントの前記縁に到達したことの通知を表示するステップと、
前記オブジェクトが前記タッチスクリーンディスプレイともはや接触していないことを検出するのに応じて、前記通知の表示を中止するステップと
を有するコンピュータ実施方法。
【請求項２２】
前記オブジェクトが前記タッチスクリーンディスプレイともはや接触していないことを検出するのに応じて、前記ドキュメントを前記第１方向とは逆の第２方向に並進移動するステップを含む、請求項２１に記載のコンピュータ実施方法。
【請求項２３】
前記通知を表示するステップは、前記ドキュメントとは視覚的に識別可能な有色の通知を表示することを含む、請求項２１または２２に記載のコンピュータ実施方法。
【請求項２４】
前記オブジェクトの前記移動の方向は、前記第１方向における前記ドキュメントの並進移動に対応する、請求項２１乃至２３のいずれか１項に記載のコンピュータ実施方法。
【請求項２５】
タッチスクリーンディスプレイと、
１つ以上のプロセッサと、
メモリと、
１つ以上のプログラムと、
を備え、
前記１つ以上のプログラムは、前記メモリに記憶されて、前記１つ以上のプロセッサにより実行されるように構成され、
前記プログラムは、
ドキュメントの第１部分を表示するインストラクションと、
前記タッチスクリーンディスプレイ上におけるオブジェクトの移動を検出するインストラクションと、
前記移動の検出に応じて、前記ドキュメントの第２部分を表示するために前記ドキュメントを第１方向に並進移動するインストラクションと、
前記タッチスクリーンディスプレイ上において前記オブジェクトの移動が検出され続けている間に前に表示されていなかった前記ドキュメントの縁に到達するのに応じて、前記ドキュメントの前記縁に到達したことの通知を表示するインストラクションと、
前記オブジェクトが前記タッチスクリーンディスプレイともはや接触していないことを検出するのに応じて、前記通知の表示を中止するインストラクションと
を含む、装置。
【請求項２６】
タッチスクリーンディスプレイを有する装置で実行された場合に、前記装置に、
ドキュメントの第１部分を表示し、
前記タッチスクリーンディスプレイ上におけるオブジェクトの移動を検出し、
前記移動の検出に応じて、前記ドキュメントの第２部分を表示するために前記ドキュメントを第１方向に並進移動し、
前記タッチスクリーンディスプレイ上において前記オブジェクトの移動が検出され続けている間に前に表示されていなかった前記ドキュメントの縁に到達するのに応じて、前記ドキュメントの前記縁に到達したことの通知を表示し、
前記オブジェクトが前記タッチスクリーンディスプレイともはや接触していないことを検出するのに応じて、前記通知の表示を中止する
動作を実行させるためのインストラクションを記憶しているコンピュータ読み取り可能な記憶媒体。